(57)【要約】      （修正有）【課題】従来の畳に比べて耐久性（耐摩耗性）が極めて高く、仮に旅行者が畳の上で重い荷物を引きずったとしてもまったく摩耗せず数年から数十年は交換不要となる畳を提供する。【解決手段】繊維強化樹脂のファイバーで織られた畳表１１０を、畳床のおもて面に組み合わせ、畳表のサイドを畳床の側面に折り返した状態で畳表と畳床とを接着して畳本体部１０１とする。また、繊維で織られた基布部をうら面とし、樹脂性シートをおもて面として、基布部と樹脂性シートとを貼り合わせ、さらに、樹脂性シートの表面に畳縁のパターンを転写して畳縁部２００とする。畳本体部の縁に畳縁部を縫着して畳とする。【選択図】図１
0003215834.tif 000002
【実用新案登録請求の範囲】
【請求項１】
繊維強化樹脂のファイバーで織られた畳表を、畳床のおもて面に組み合わせ、前記畳表のサイドを前記畳床の側面に折り返した状態で前記畳表と前記畳床とを接着してなる畳本体部と、
繊維で織られた基布部をうら面とし、樹脂性シートをおもて面として、前記基布部と前記樹脂性シートとを貼り合わせ、さらに、前記樹脂性シートの表面に畳縁のパターンを転写して構成された畳縁部と、からなり、
前記畳本体部の縁に前記畳縁部を縫着してなる畳。
【請求項２】
繊維で織られた基布部をうら面とし、樹脂性シートをおもて面として、前記基布部と前記樹脂性シートとを貼り合わせ、さらに、前記樹脂性シートの表面に畳縁のパターンを転写して構成された畳縁。
【考案の詳細な説明】
【技術分野】
【０００１】
本考案は畳縁および畳に関する。
【背景技術】
【０００２】
近年、訪日する外国人観光客が増加しており、さらに東京オリンピックも開催されることから、ますます訪日外国人の増加が期待されている。
外国人には「和風」が好まれることから、旅館や民泊宿はもちろん、ホテルでも内装を和風にすることが増えてきている。和風の内装の中でも特に人気なのが畳であり、宿泊者の居室内はもちろんのこと、エントランス（玄関）や廊下も畳敷きにする内装も増えてきている。
【０００３】
外国人観光客の趣向に応えて畳敷きにするのはよいが、１つ問題がある。
外国人にとっては畳も床材であって、畳は傷み易いとか編み目の方向がある、などとは思いもよらず、畳の上であってもキャスター付きスーツケースをゴロゴロ引いたり、荷物を引きずったりしてしまう。旅行者の荷物は相当な重量であるから、天然の藺草の畳では、エントランスや廊下はもちろん、居室用の畳であっても数日ももたない。
【０００４】
そこで本出願人は既に従来品をはるかに超える耐久性を有する畳ユニットを提案した（実登３２１２７１８）。実登３２１２７１８においては繊維強化樹脂のファイバーで織った畳表を用いた畳を提案している。
【先行技術文献】
【特許文献】
【０００５】
【特許文献１】実登３２１２７１８
【考案の概要】
【考案が解決しようとする課題】
【０００６】
実登３２１２７１８では縁無し畳を想定していたが、縁付きの畳であってなおかつ耐久性を有する畳ユニットの要望がある。
しかし、畳縁は綿糸や麻糸の織物であり、このような畳縁では畳本体に耐久性があっても畳縁の方がすぐに傷んでしまう。
化学繊維で織られた畳縁もあるが、やはり、キャスター付きスーツケースをゴロゴロ引いたり、荷物を引きずったりしてはすぐに傷んでしまう。
【０００７】
旅館やホテル、民泊宿の経営者にすると、毎月のように床材（畳）のメンテナンスや張り替えが発生するとなると、費用も手間もかかるため、従来品をはるかに超える耐久性を有する畳ユニットが求められている。
【課題を解決するための手段】
【０００８】
本考案の畳は、
繊維強化樹脂のファイバーで織られた畳表を、畳床のおもて面に組み合わせ、前記畳表のサイドを前記畳床の側面に折り返した状態で前記畳表と前記畳床とを接着してなる畳本体部と、
繊維で織られた基布部をうら面とし、樹脂性シートをおもて面として、前記基布部と前記樹脂性シートとを貼り合わせ、さらに、前記樹脂性シートの表面に畳縁のパターンを転写して構成された畳縁部と、からなり、
前記畳本体部の縁に前記畳縁部を縫着してなる
ことを特徴とする。
【０００９】
本考案の畳縁は、
繊維で織られた基布部をうら面とし、樹脂性シートをおもて面として、前記基布部と前記樹脂性シートとを貼り合わせ、さらに、前記樹脂性シートの表面に畳縁のパターンを転写して構成された
ことを特徴とする。
【図面の簡単な説明】
【００１０】
【図１】本考案の畳の外観斜視図である。
【図２】畳の製造工程を説明する模式図である。
【図３】畳の製造工程を説明する模式図である。
【図４】畳の製造工程を説明する模式図である。
【図５】畳縁のおもて面を表わす図である。
【図６】畳縁のうら面を表わす図である。
【図７】畳縁の二層構造を模式的に表わす図である。
【考案を実施するための形態】
【００１１】
本考案の実施形態を図示するとともに図中の各要素に付した符号を参照して説明する。
図１は、本考案の畳の外観斜視図である。
本考案の畳１００は、外観上は従来の畳と変わる点は特にない。
畳のサイズとしては任意のサイズにできるが、例えば、縦を８００〜１０００ｍｍ、横を８００〜１９００ｍｍ、厚みを１５〜５５ｍｍ程度にすることができる。
（なお、図１の畳は、少し小さめに試作したものである。）
【００１２】
畳は、畳本体部と、畳本体部の縁に設けられた畳縁部と、を備える。
【００１３】
畳本体部については、実登３２１２７１８で説明した耐久性のある畳表を用いたものが採用できる。
【００１４】
畳本体部について簡単に説明しておく。
畳表１１０は、従来の畳と同じように繊維（ファイバー）を織ったものであるが、繊維としては繊維強化樹脂を用いている。
繊維強化樹脂のマトリックス母材となる樹脂としては、塩化ビニル、ポリエチレン、ポリエステル、ポリプロピレン、ＡＢＳ樹脂、ＰＥＴなどが挙げられ、なかでも塩化ビニルが好適である。繊維強化樹脂に混入させる繊維としては、グラスファイバー、アラミド、ポリエステル、ボロンファイバーが例として挙げられる。
【００１５】
畳表１１０に畳床１３０を組み合わせて畳本体部にする。このとき、図２に示すように畳表１１０と畳床１３０との間に不織布シート１４０を配する。
畳表１１０と不織布シート１４０との間、および、畳床１３０と不織布シート１４０との間を接着剤１６１で接着する。
【００１６】
次に、図３に示すように、畳表１１０のサイドを畳床１３０の裏側に巻き返し、畳床１３０の側面から裏面にかけて接着剤１６２を塗布し、さらに加熱プレスする。
【００１７】
次に、図４に示すように、畳床１３０の裏面に段差がなくなるように不織布シート１４０を貼り、裏面材として熱融着シート１５０を貼る。
【００１８】
なお、不織布シート１４０はクッション性を持たせるためのものであり、居室用の畳１００には不織布シート１４０があった方がよいが、廊下やエントランス、ロビー用の畳１００にはなくてもよい。
従来の天然藺草や従来の樹脂製（例えばポリプロピレン製）の畳表であればそれ自体がある程度の柔らかさを兼ね備えており、少しクッション性を持っているが、本考案のように極めて強度が高く耐久性のある素材を用いた畳表１１０となるとやや堅く感じることも有り得る。そこで、不織布シート１４０を畳表１１０と畳床１３０との間に介装しておくことでちょうどよいクッション性を得ることができる。
【００１９】
次に畳縁２００について説明する。
図５は畳縁部２００のおもて面の図であり、図６は畳縁のうら面の図である。
畳縁部２００は、うら面を構成する基布部２１０と、おもて面を構成する樹脂性シート２２０と、を貼り合わせた構成である（図７）。
基布部２１０は、例えば強化レーヨン繊維（ポリノジック繊維）を織ったものである。（織り組織は限定されず、例えば平織りでもよい。）
繊維としてはある程度の強度がある方が好ましいので強化レーヨン繊維（ポリノジック繊維）が好適であるが、これに限らず、木綿、レーヨン繊維等のセルロース系繊維や、ポリビニルアルコール系繊維、吸水性アクリル繊維、吸湿加工ナイロン繊維等の合成繊維が例として挙げられる。
【００２０】
樹脂性シート２２０は、ポリ塩化ビニル樹脂（ＰＶＣ）のシートである。
樹脂性シート２２０の厚みは０．６ｍｍ程度にするとよい。
ある程度の強度を持たせるとともに、畳縁のパターンを転写した際にある程度の凹凸ができて、本物の織物の畳縁のように見えるからである。
【００２１】
基布部２１０と樹脂性シート２２０とをそれぞれ用意して、互いに貼り合わせる。
その後、樹脂性シート２２０の表面に転写で布目調のパターンを印刷する。
このとき、凹凸パターンを与えるとともに、複数の色（２〜３色）でパターンを印刷する。
【００２２】
畳本体部１０１と畳縁部２００とがそれぞれ用意できたら、あとは通常の畳と同じように、畳縁部２００を畳本体部１０１の縁に縫着する（図１）。
ここで、畳縁部２００は、樹脂性シート２２０の単層ではなく、うら面に基布部２１０を有するので、従来の織物の畳縁と同じように畳本体部１０１の縁に畳縁部２００を縫い付けることができるのである。
【００２３】
以上に説明した畳は、従来の畳に比べて耐久性（耐摩耗性）が極めて高く、仮に旅行者が畳の上で重い荷物を引きずったとしてもまったく摩耗せず数年から数十年は交換不要となる。
【００２４】
なお、本考案は上記実施の形態に限られたものではなく、趣旨を逸脱しない範囲で適宜変更することが可能である。
【図１】
0003215834.tif 000003
【図２】
0003215834.tif 000004
【図３】
0003215834.tif 000005
【図４】
0003215834.tif 000006
【図５】
0003215834.tif 000007
【図６】
0003215834.tif 000008
【図７】
0003215834.tif 000009